(57)【要約】【課題】従来のバッテリパックとの互換性が高く、部品点数や実装面積を増加させずに部分電圧を監視することのできるバッテリパックおよび充電装置を提供すること。【解決手段】バッテリパックは、直列に接続された複数の電池セルと、複数の電池セルの合計電圧が出力されるバッテリ側正極端子と、電子機器との間で認証処理を行う認証回路と、充電装置に接続されて充電中には複数の電池セルの間の中間電圧が入出力端子に出力され、電子機器に接続されて放電中には認証回路の出力が入出力端子に出力されるように制御する切り替え手段と、を備える。【選択図】図１
2011096527.tif 000002
【特許請求の範囲】
【請求項１】
直列に接続された複数の電池セルと、
前記複数の電池セルの合計電圧が出力されるバッテリ側正極端子と、
電子機器との間で認証処理を行う認証回路と、
充電装置に接続されて充電中には前記複数の電池セルの間の中間電圧が入出力端子に出力され、前記電子機器に接続されて放電中には前記認証回路の出力が前記入出力端子に出力されるように制御する切り替え手段と、
を備えたバッテリパック。
【請求項２】
請求項１記載のバッテリパックを接続して充電を行うための充電装置であって、
前記バッテリパックの前記バッテリ側正極端子が接続される充電側正極端子と、
前記バッテリパックの前記入出力端子が接続される充電側入出力端子と、
前記充電側正極端子に入力される前記合計電圧と、前記充電側入出力端子に入力される前記中間電圧とに基づいて求めた前記複数の電池セルの各々の電圧に基づいて前記バッテリパックの充電を制御する制御回路と、
を備えた充電回路。
【発明の詳細な説明】
【技術分野】
【０００１】
本発明は、複数の電池セルを備えたバッテリパックおよびこれを充電するための充電装置に関し、特に内蔵する各電池セルの電圧を外部に出力可能なバッテリパックおよびこの電圧を監視しながら充電を行う充電装置に関する。
【背景技術】
【０００２】
デジタルカメラ等の電子機器においては、電子機器本体に電力を供給するバッテリを搭載したバッテリパックを、本体側へ接続して用いるのが一般的である。バッテリとしては、リチウムイオン電池などの再充電可能な二次電池が一般的に用いられる。
【０００３】
バッテリパックはバッテリ充電時および放電時に高温となるため、バッテリパックが所定以上の温度とならないように、電子機器や充電装置の本体側からバッテリパックの温度をモニタすることがある。この場合、バッテリパックからの温度検出に関する出力データを取りこむ端子がバッテリパックおよび本体側に付加されている。
【０００４】
また、バッテリパックが正規なものであるか否かを識別するためにバッテリパックの認証を行う技術が知られている。すなわち、バッテリパックと機器本体とにそれぞれＩＤ（識別子）等を記憶させ、接続時にバッテリパックから出力されるＩＤを機器本体に記憶したＩＤと照合してバッテリパックの正当性の認証を行うものである。この認証によって機器本体に適合しないような不正なバッテリパックを識別している。この場合にも、バッテリパックの認証を行うための端子がバッテリパックおよび本体側に付加されている。
【０００５】
このようにバッテリパックの認証のための端子および温度検出センサからの信号のための端子を備えた従来のバッテリパックが提案されている（例えば、特許文献１参照。）。
【先行技術文献】
【特許文献】
【０００６】
【特許文献１】特開２００３−１６２９８６号公報（図５）
【発明の概要】
【発明が解決しようとする課題】
【０００７】
近年、充電時の安全性をより高めるため、バッテリパックが備える複数の電池セルについて、各々の電圧（部分電圧）を監視できることが望まれている。しかしながら、このような部分電圧を出力するための端子を追加すると、従来のバッテリパックとの互換性が取れず、また、部品点数や実装面積の増加につながるという課題があった。
【０００８】
そこで本発明のバッテリパックおよび充電装置は、従来のバッテリパックとの互換性が高く、部品点数や実装面積を増加させずに部分電圧を監視することのできるバッテリパックおよび充電装置を提供することを目的とする。
【課題を解決するための手段】
【０００９】
上記課題を解決するために本発明のバッテリパックは、直列に接続された複数の電池セルと、複数の電池セルの合計電圧が出力されるバッテリ側正極端子と、電子機器との間で認証処理を行う認証回路と、充電装置に接続されて充電中には複数の電池セルの間の中間電圧が入出力端子に出力され、電子機器に接続されて放電中には認証回路の出力が入出力端子に出力されるように制御する切り替え手段と、を備える。
【００１０】
また、上記課題を解決するために本発明の充電装置は、バッテリパックのバッテリ側正極端子が接続される充電側正極端子と、バッテリパックの入出力端子が接続される充電側入出力端子と、充電側正極端子に入力される合計電圧と、充電側入出力端子に入力される中間電圧とに基づいて求めた複数の電池セルの各々の電圧に基づいてバッテリパックの充電を制御する制御回路と、を備える。
【発明の効果】
【００１１】
本発明のバッテリパックおよび充電装置によれば、従来のバッテリパックとの互換性が高く、部品点数や実装面積を増加させずに部分電圧を監視することのできるバッテリパックおよび充電装置を提供することができる。
【図面の簡単な説明】
【００１２】
【図１】第１の実施形態にかかるバッテリパックおよび充電装置の構成を示すブロック図
【図２】第１の実施形態にかかるバッテリパックを接続した電子機器の構成を示すブロック図
【図３】第１の実施形態における充電時の各部の電圧を示す図
【図４】第１の実施形態における放電時の各部の電圧を示す図
【図５】第２の実施形態にかかるバッテリパックおよび充電装置の構成を示すブロック図
【図６】第２の実施形態における充電時の各部の電圧を示す図
【図７】第２の実施形態における放電時の各部の電圧を示す図
【発明を実施するための形態】
【００１３】
（第１の実施形態）
以下、第１の実施形態にかかるバッテリパック、これを充電するための充電装置、およびバッテリパックを接続して電源として使用するデジタルカメラについて説明する。本実施形態にかかるバッテリパックは、充電装置およびデジタルカメラとの接続端子として正極端子、負極端子、バッテリパックの温度監視のためのＴ端子、およびバッテリパックの認証処理のためのＤ端子を備える。そして、バッテリパックが備える２つの電池セルの中間電圧の出力端子をＤ端子と共用する。なお、各電池セルの正極〜負極間の電位差を部分電圧と呼び、各電池セルの間の点における電位を中間電圧と呼ぶこととする。
【００１４】
＜バッテリパックの構成＞
図１は、第１の実施形態にかかるバッテリパックおよび充電装置の構成を示すブロック図である。バッテリパック２は充電装置３に電気的に接続され、充電装置３の制御により充電が行われる。バッテリパック２の正極端子２１１、Ｔ端子２１２、Ｄ端子２１３および負極端子２１４は、各々充電装置３の正極端子３１１、Ｔ端子３１２、Ｄ端子３１３および負極端子３１４と接続される。
【００１５】
電池セル２０１は、その正極が正極端子２１１に接続され、負極がもうひとつの電池セル２０２の正極と接続される。電池セル２０２の負極は負極端子２１４に接続される。このように、電池セル２０１および２０２は、正極端子２１１および負極端子２１４の間で直列に接続される。また、説明の便宜上、電池セル２０１および２０２を接続する線上の点を点ａと呼び、点ａにおける電圧を電池セル２０１および２０２の間の電圧、すなわち中間電圧と呼ぶ。
【００１６】
認証回路２０３は、電子機器としてのデジタルカメラ１（後述）と接続された際に、デジタルカメラ１との間で通信を行うことにより、バッテリパック２が正規品であることを認証する認証処理を行うための回路である。認証回路２０３は、Ｄ端子２１３と接続される。
【００１７】
温度検出回路２０５は、サーミスタ等で構成され、バッテリパック２内部の温度を検出する。温度検出回路２０５の一方は接地され、他方はＴ端子２１２と接続される。スイッチ２０４は、ＦＥＴ（電界効果トランジスタ：Ｆｉｅｌｄ  Ｅｆｆｅｃｔ  Ｔｒａｎｓｉｓｔｏｒ）等により構成され、Ｄ端子２１３へ出力する信号として、認証回路２０３からの出力電圧および点ａの電圧のうちいずれかを選択する。このようにＤ端子２１３は、中間電圧と認証回路２０３の出力とを切り替えて出力するための入出力端子となっている。Ｄ端子２１３からの出力を切り替えるためのスイッチ２０４は、Ｔ端子２１２の電圧により制御される。スイッチ２０４を構成するＦＥＴは、ある閾値（ここでは具体的に、４．５（Ｖ）とする）以上の電圧を印加した時は常にＨ側に接続され、ある閾値（ここでは具体的に、２．０（Ｖ）とする）以下の電圧を印加した時はＬ側に接続されるものとする。
【００１８】
＜充電装置の構成＞
充電装置３は、ＡＣ入力端子３０１が商用ＡＣ電源接続され、バッテリパック２が充電装置３に装着されて各端子が電気的に接続されると、バッテリパック２の充電を行う。ＡＣ／ＤＣコンバータ３０２は、ＡＣ入力端子３０１から供給される交流電源を直流に変換する。ＡＣ／ＤＣコンバータ３０２の出力は、スイッチ３０３を介して正極端子３１１に接続される。制御回路３０４は、正極端子３１１、Ｔ端子３１２、Ｄ端子３１３および負極端子３１４と接続される。制御回路３０４は、正極端子３１１に入力されるバッテリパック２の２つの電池セルの合計電圧とＤ端子３１３から入力されるバッテリパック２の中間電圧とから、２つの電池セルの各々の電圧を求め、これに基づいて充電の制御を行う。制御回路３０４は、バッテリパック２の充電中はスイッチ３０３をオンにし、充電が完了するとスイッチ３０３をオフにするように制御する。ここで、バッテリパック２が充電装置３に接続された状態において、Ｔ端子３１２には常に所定の閾値αより高い電圧が現れるようにしておく。ここで、閾値αとして４．５（Ｖ）とすれば、温度検出回路２０５の出力に寄らず、バッテリパック２が充電装置３に接続された状態において常にスイッチ２０４はH側に接続されることになる。
【００１９】
＜デジタルカメラの構成＞
図２は、第１の実施形態にかかるバッテリパック２を接続した電子装置としてのデジタルカメラ１の構成を示すブロック図である。被写体からの光はレンズ群により構成される光学系１０２を通してＣＣＤイメージセンサ１０３に入射する。ＣＣＤイメージセンサ１０３は、光電変換により受光した光を電気信号に変換し、画像信号として出力する。信号処理部１０４は、ＣＣＤイメージセンサ１０３から出力された画像信号に対してＡ／Ｄ変換、ホワイトバランス補正、拡大縮小処理、ローパスフィルタ処理等の信号処理を行う。エンコーダ１０５は、信号処理部１０４から出力された画像データをＪＰＥＧ（Ｊｏｉｎｔ  Ｐｈｏｔｏｇｒａｐｈｉｃ  Ｅｘｐｅｒｔｓ  Ｇｒｏｕｐ）等の符号化方式で符号化する。記録部１０６は、符号化された画像データをデジタルカメラ１に装着されたメモリカード１０７に記録する。操作部１１０は、操作キー、シャッターボタン、ズームレバー、タッチパネル等を含み、使用者の操作を受け付け、対応する信号をマイコン１０９に送る。マイコン１０９は、操作部１１０からの出力に基づいてデジタルカメラ１の各部を制御する。モニタ１０８は、液晶パネル等により構成され、信号処画像データを表示する。また、マイコン１０９の制御により、画像データに重畳してＯＳＤ（Ｏｎ  Ｓｃｒｅｅｎ  Ｄｉｓｐｌａｙ）表示を行う。
【００２０】
デジタルカメラ１には、バッテリパック２を装着可能である。デジタルカメラ１にバッテリパック２を装着すると、バッテリパック２の正極端子２１１、Ｔ端子２１２、Ｄ端子２１３および負極端子２１４は、各々デジタルカメラ１の正極端子１１１、Ｔ端子１１２、Ｄ端子１１３および負極端子１１４と接続される。正極端子１１１を介してバッテリパック２から供給される電源電圧は、デジタルカメラ１の各部へ供給される。
【００２１】
マイコン１０９は、Ｔ端子１１２の電圧を監視する。ここで、バッテリパック２がデジタルカメラ１に接続された状態において、Ｔ端子１１２には常に所定の閾値γ（ただしγ≦α）より低い電圧が現れるようにしておく。ここで、閾値γとして２．０（Ｖ）とすれば、温度検出回路２０５の出力に寄らず、バッテリパック２がデジタルカメラ１に接続された状態において常にスイッチ２０４はＬ側に接続されることになる。マイコン１０９は、Ｔ端子１１２に現れる電圧値を、所定の変換テーブルを参照して温度に変換することによりバッテリパック２の温度を監視する。マイコン１０９は、バッテリパック２の温度が閾値を超えると、モニタ１０８に対する警告表示や、バッテリパック２からの電源供給の遮断等の措置をとる。
【００２２】
また、マイコン１０９は、Ｄ端子１１３を介してバッテリパック２との間で認証処理を行う。
【００２３】
＜充電時の動作＞
図３は、第１の実施形態におけるバッテリパック２の、充電装置３による充電時の各部の電圧を示す図である。図において、横軸は時間の経過を示す。図３（ａ）は、正極端子２１１の電圧を実線で示し、点ａの電圧を破線で示す。図３（ｂ）は、Ｔ端子２１２の電圧を示す。図３（ｃ）は、Ｄ端子２１３の電圧を示す。なお、バッテリパック２の充電時における電圧上昇の度合いは時間の経過と共に変化するが、ここでは説明を簡略化するため、電圧上昇の度合いは常に一定であるものとする。
【００２４】
時刻０において、バッテリパック２が充電装置３に接続される。バッテリパック２のＴ端子２１２に現れる電圧は、上述したようにバッテリパック２の温度検出回路２０５の出力にかかわらず、常に閾値αよりも高い電圧となる。このとき、スイッチ２０４はＨ側に接続される。その結果、Ｄ端子２１３は、認証回路２０３および点ａの両方と接続される。ここで、認証回路２０３は、充電装置３と接続されたときには動作しないため、常にローレベルを出力する。したがって、Ｄ端子には点ａの中間電圧そのものが現れることになる。
【００２５】
充電装置３は、バッテリパック２の正極端子２１１および負極端子２１４の間に電圧をかけることにより、バッテリパック２内の各電池セル２０１および２０２に対して充電を開始する。ここで、正極端子２１１には電池セル２０１および２０２の電圧の合計が現れる。また、Ｄ端子２１３には点ａにおける中間電圧、すなわち電池セル２０２の部分電圧が現れる。
時間の経過と共に各電池セルの充電が進み、電圧が上昇する。充電装置３の制御回路３０４は、正極端子２１１の電圧値からＤ端子２１３の電圧値を減算することにより、電池セル２０１の部分電圧を得る。制御回路３０４は、このようにして電池セル２０１および２０２の部分電圧を知り、その値が所定の閾値β（例えば、４．２５（Ｖ））を超えたかどうかを監視する。また、制御回路３０４は、Ｔ端子２１２の電圧に基づいてバッテリパック２の温度を得ることにより、バッテリパック２の温度が正常な範囲内であるかどうかを監視する。時刻ｔ１において、いずれかの電池セルにおいて部分電圧がこの閾値βを越えたとする。制御回路３０４は、正極端子２１１およびＤ端子２１３の電圧に基づいて得られる各電池セルの部分電圧のいずれかが閾値βを超えたことを検出すると充電が完了したと判断し、スイッチ３０３を制御して正極端子２１１への電源供給を終了する。これにより、バッテリパック２への充電が完了する。
【００２６】
＜放電時の動作＞
図４は、第１の実施形態におけるバッテリパック２の、デジタルカメラ１に接続されて放電（電源供給）時の各部の電圧を示す図である。図の見方については、図３と同様である。なお、デジタルカメラ１は動作状態に応じて消費電流が変化するが、ここでは説明を簡略化するため、消費電流は常に一定であるものとする。
【００２７】
時刻０において、バッテリパック２が接続されたデジタルカメラ１の電源スイッチがオンになると、バッテリパック２の正極端子２１１からデジタルカメラ１に電源の供給が開始される。
【００２８】
バッテリパック２のＴ端子２１２に現れる電圧は、上述したようにバッテリパック２の温度検出回路２０５の出力にかかわらず、常に閾値γよりも低い電圧となる。このとき、スイッチ２０４はＬ側に接続される。その結果、Ｄ端子２１３は、認証回路２０３のみと接続される。デジタルカメラ１のマイコン１０９は、バッテリパック２が接続されると直ちにバッテリパック２の認証回路２０３との間で通信を行い、認証処理を行う。時刻ｔ２において認証に成功すると、マイコン１０９は引き続きバッテリパック２からの電源供給を継続する。なお、認証処理が失敗した場合、デジタルカメラ１は、モニタ１０８に警告表示を行った後、電源を遮断する。また、認証処理を行うとき以外には、認証回路２０３はローレベルを出力する。
【００２９】
＜まとめ＞
以上説明したように、本実施形態にかかるバッテリパックは、充電装置およびデジタルカメラとの接続端子として正極端子、負極端子、Ｔ端子、およびＤ端子を備える。そして、バッテリパックの認証処理のための出力端子と、バッテリパックが備える２つの電池セルの中間電圧の出力端子をＤ端子により共用する。認証処理は、放電時にのみ必要となる一方、中間電圧の出力は充電時にのみ必要となるため、これら２つの信号について、ひとつの出力端子を共用して出力することができる。また、バッテリパックのＤ端子から出力される信号を外部から選択するための信号を、Ｔ端子の電圧に重畳して供給する。したがって、バッテリパックの外部と新たな信号を入出力するにもかかわらず、新たな端子を設ける必要がなく、従来のバッテリパックとの互換性を確保でき、部品点数や実装面積を増加させずに部分電圧を監視することのできるバッテリパックおよび充電装置を提供することができる。
【００３０】
（第２の実施形態）
以下、第２の実施形態にかかるバッテリパック、これを充電するための充電装置、およびバッテリパックを接続して電源として使用するデジタルカメラについて、説明する。本実施形態が第１の実施形態と異なる点は、充電の制御を充電回路ではなくバッテリパックが主体となって行う点である。より具体的には、第１の実施形態における充電装置３の制御回路３０４の制御内容の一部（充電に関する部分）を、バッテリパック２ａに設けた制御回路２０６にて行う点、これに伴い、第１の実施形態では設けられていたスイッチ２０４が廃止されている点である。以下、第１の実施形態と同様な構成については説明を省略し、この相違点を中心に説明する。
【００３１】
＜各部の構成＞
図５は、第２の実施形態にかかるバッテリパック２ａおよび充電装置３ａの構成を示すブロック図である。バッテリパックの制御回路２０６は、電池セル２０１の正極、点ａおよび電池セル２０２の負極に接続される。制御回路２０６は、これら３点の電圧から電池セル２０１および２０２の各々の部分電圧を求めてこれを監視し、いずれかの部分電圧が閾値βを超えたかどうかを判断する。いずれかの部分電圧が閾値βを超えた、すなわち充電が完了したと判断したときには充電検出信号としてハイレベルを出力し、そうでないときには充電検出信号としてローレベルを出力する。Ｄ端子２１３には、スイッチ等を介さず、認証回路２０３の出力および制御回路２０６の出力が共に接続される。
【００３２】
充電装置３ａの制御回路３０４は、バッテリパック２ａのＤ端子２１３から出力される充電検出信号に基づいてスイッチ３０３を制御する。すなわち、充電検出信号がハイレベルであればスイッチ３０３をオフにしてバッテリパック２ａの充電を行わない。また、充電検出信号がローレベルであればスイッチ３０３をオンにしてバッテリパック２ａの充電を行う。
【００３３】
なお、第１の実施形態において、Ｔバッテリパック２が充電装置３に接続された状態において、Ｔ端子３１２には常に所定の閾値αより高い電圧が現れるように充電装置を構成し、バッテリパック２がデジタルカメラ１に接続された状態において、Ｔ端子１１２には常に所定の閾値γより低い電圧が現れるようにデジタルカメラ１を構成するものとしたが、本実施形態においてはそのように構成する必要はない。第１の実施形態では、接続先に応じてバッテリパック２のスイッチ２０４を制御するため上記構成をとっていたが、本実施形態ではスイッチ２０４がなく、そのような制御は不要である。すなわち、本実施形態において、デジタルカメラ１としては、従来のデジタルカメラの構成をそのまま使用することができる。
【００３４】
＜充電時の動作＞
図６は、第２の実施形態におけるバッテリパック２ａの、充電装置３ａによる充電時の各部の電圧を示す図である。図の見方については、図３と同様である。
【００３５】
時刻０において、バッテリパック２ａが充電装置３ａに接続される。Ｄ端子２１３は、認証回路２０３および制御回路２０６の両方と接続されている。ここで、認証回路２０３は、充電装置３ａと接続されたときには動作せず、常にローレベルを出力する。したがって、Ｄ端子には制御回路２０６が出力する電圧そのものが現れることになる。
【００３６】
充電装置３ａは、バッテリパック２ａの正極端子２１１および負極端子２１４の間に電圧をかけることにより、バッテリパック２ａ内の各電池セル２０１および２０２に対して充電を開始する。
【００３７】
時間の経過と共に各電池セルの充電が進み、電圧が上昇する。バッテリパック２ａの制御回路２０６は、電池セル２０１および２０２の部分電圧を監視し、そのいずれかの値が所定の閾値βを超えたかどうかを監視する。制御回路２０６は、いずれの値も閾値βを超えないときにはローレベルを出力し、いずれかの値が閾値βを超えたときにはハイレベルを出力する。充電開始直後は、いずれの電池セルの部分電圧も閾値βを超えないため、制御回路２０６はローレベルを出力する。その結果、Ｄ端子２１４からはローレベルが出力される。制御回路３０４は、Ｄ端子２１４に現れる電圧がローレベルなので、充電を継続する。また、制御回路３０４は、Ｔ端子２１２の電圧に基づいてバッテリパック２の温度を得ることにより、バッテリパック２の温度が正常な範囲内であるかどうかを監視する。
【００３８】
時刻ｔ１において、いずれかの電池セルにおいて部分電圧がこの閾値βを越えたとする。制御回路２０６は、この時点でハイレベルを出力する。この結果、Ｄ端子２１４からはハイレベルが出力される。制御回路３０４は、Ｄ端子２１４に現れる電圧がハイレベルなので、充電が完了したと判断し、スイッチ３０３を制御して正極端子２１１への電源供給を終了する。これにより、バッテリパック２への充電が完了する。
【００３９】
＜放電時の動作＞
図７は、第２の実施形態におけるバッテリパック２ａの、デジタルカメラ１に接続されて放電（電源供給）時の各部の電圧を示す図である。図の見方については、図３と同様である。
【００４０】
時刻０において、バッテリパック２ａが接続されたデジタルカメラ１の電源スイッチがオンになると、バッテリパック２ａの正極端子２１１からデジタルカメラ１に電源の供給が開始される。
【００４１】
Ｄ端子２１３は、認証回路２０３および制御回路２０６の両方と接続されている。ここで、バッテリパック２がデジタルカメラ１と接続されて放電中は、各電池セルの部分電圧は充電中よりも低い電圧を示すため、いずれも閾値βを超えない。したがって制御回路２０６は、デジタルカメラ１と接続されたときには常にローレベルを出力する。したがって、Ｄ端子には認証回路２０３が出力する電圧そのものが現れることになる。
【００４２】
デジタルカメラ１のマイコン１０９は、バッテリパック２ａが接続されると直ちにバッテリパック２の認証回路２０３との間で通信を行い、認証処理を行う。時刻ｔ２において認証に成功すると、マイコン１０９は引き続きバッテリパック２ａからの電源供給を継続する。なお、認証処理が失敗した場合、デジタルカメラ１は、モニタ１０８に警告表示を行った後、電源を遮断する。
【００４３】
＜まとめ＞
以上説明したように、本実施形態にかかるバッテリパックは、各電池セルの電圧を監視して充電検出信号を外部に報知する制御回路を設け、バッテリパックの認証処理のための出力端子と、充電検出信号の出力端子をＤ端子により共用する。認証処理は、放電時にのみ必要となる一方、充電検出信号の出力は充電時にのみ必要となるため、これら２つの信号について、ひとつの出力端子を共用して出力することができる。したがって、バッテリパックの外部に新たな信号を出力するにもかかわらず、新たな端子を設ける必要がなく、従来のバッテリパックとの互換性を確保でき、部品点数や実装面積を増加させずに部分電圧を監視することのできるバッテリパックおよび充電装置を提供することができる。
【００４４】
（他の実施形態）
上記第１の実施形態においては、バッテリパックは充電中において２つの電池セルの中間電圧をＤ端子から出力するものとしたが、いずれかの電池セルの部分電圧を出力するようにしてもよい。その場合、充電装置側はこれに対応して各電池セルの部分電圧を求めるようにすればよい。
【００４５】
上記実施形態においては、バッテリパックが２つの電池セルを備える構成について説明したが、3つ以上の電池セルを備える構成としてもよい。例えば第１の実施形態については、各電池セルの間の中間電圧（電池セルが４つであれば３ヶ所の中間電圧）あるいは各電池セルの部分電圧を時分割でＤ端子から出力するような制御回路を追加し、制御回路の出力と認証回路２０３の出力とをスイッチ２０４で切り替える構成とすればよい。充電装置側では、時分割で送られてくるこれらの情報から充電の制御を行うようにすればよい。また、第２の実施形態については、制御回路２０６が、各電池セルの電圧を監視し、いずれかの電池セルの電圧が閾値βを超えるときにハイレベルを出力するようにすればよい。
【００４６】
上記実施形態においては、電子機器としてデジタルカメラを例にして説明したが、バッテリパックを接続して使用する電子機器としてはこれに限らず、ムービー、携帯電話、スマートフォン、携帯音楽プレーヤ、ノートＰＣ等でもよい。
【００４７】
上記実施形態においては、電子機器と充電装置とを別の構成として説明したが、電子機器が充電装置を兼ねていてもよい。その場合、電子機器は、充電および放電の各動作において、上記実施形態と同様の動作をするように構成すればよい。
【００４８】
上記実施形態において、デジタルカメラ１のマイコン１０９が、バッテリパック２の認証回路２０３との間で認証処理を行うものとしたが、デジタルカメラ１がマイコン１０９とは別に認証回路を備え、互いの認証回路の間で認証処理を行うようにしてもよい。
【産業上の利用可能性】
【００４９】
本発明は、従来のバッテリパックとの互換性が高く、部品点数や実装面積を増加させずに部分電圧を監視することのできるバッテリパックおよび充電装置を提供することができるため、デジタルカメラ、ノートＰＣおよび携帯電話等の電子機器用のバッテリパックおよびその充電装置等に適用可能である。
【符号の説明】
【００５０】
１    デジタルカメラ
２    バッテリパック
３    充電装置
１０２    光学系
１０３    ＣＣＤイメージセンサ
１０４    信号処理部
１０５    エンコーダ
１０６    記録部
１０７    メモリカード
１０８    モニタ
１０９    マイコン
１１０    操作部
１１１    正極端子
１１２    Ｔ端子
１１３    Ｄ端子
１１４    負極端子
２０１    電池セル
２０２    電池セル
２０３    認証回路
２０４    スイッチ
２０５    温度検出回路
２０６    制御回路
２１１    正極端子
２１２    Ｔ端子
２１３    Ｄ端子
２１４    負極端子
３０１    ＡＣ入力端子
３０２    ＡＣ／ＤＣコンバータ
３０３    スイッチ
３０４    制御回路
３１１    正極端子
３１２    Ｔ端子
３１３    Ｄ端子
３１４    負極端子
【図１】
2011096527.tif 000003
【図２】
2011096527.tif 000004
【図３】
2011096527.tif 000005
【図４】
2011096527.tif 000006
【図５】
2011096527.tif 000007
【図６】
2011096527.tif 000008
【図７】
2011096527.tif 000009